(57)【要約】【課題】腕力がなく足腰が弱っている高齢者でも、寄りかかりながら良好に便器に辿り着いて着座することのできる補助用の手摺りを提供する。【解決手段】壁面４に取り付けられた一端７側を支点として他端８側が上下方向に回動し得るアーム６を介し、壁面４側の位置から該壁面４から離れた位置に亘り移動可能な略鉛直方向に延びる手摺り１０において、前記アーム６が、上方へ向かって湾曲した第１湾曲部と、該第１湾曲部から連続して下方へ向かって湾曲した第２湾曲部を有するＳ字形状に形成されている。【選択図】図１
2009118974.tif 000002
【特許請求の範囲】
【請求項１】
壁面に取り付けられた一端側を支点として他端側が上下方向に回動し得るアームを介し、壁面側の位置から該壁面から離れた位置に亘り移動可能な略鉛直方向に延びる手摺りにおいて、
前記アームが、上方へ向かって湾曲した第１湾曲部と、該第１湾曲部から連続して下方へ向かって湾曲した第２湾曲部を有するＳ字形状に形成されていることを特徴とする手摺り。
【請求項２】
前記壁面から離れた位置が、便器の正面前方に設定されていることを特徴とする請求項１に記載の手摺り。
【発明の詳細な説明】
【技術分野】
【０００１】
本発明は、老人等の身体の上下動を補助することのできる略鉛直方向に延びる手摺りに関するものである。
【背景技術】
【０００２】
従来、特許文献１に開示されているように、トイレの壁面側を支点として上下方向に回動できる横手摺り部を設け、横手摺り部の先端に床面上に立ち上がる支持脚を設けた手摺りが存在する。
【特許文献１】特開２００１−２９９６２１号公報
【発明の開示】
【発明が解決しようとする課題】
【０００３】
上記特許文献１に開示されている手摺りの構造において、支持脚は横手摺り部を略水平に支持するためのものであり、この支持脚で身体を支えることはできず、便器を使用する際等に高齢者が身体の上下動を補助して姿勢を安定化させることはできないという問題点があった。
【課題を解決するための手段】
【０００４】
本発明は、足腰が弱っている高齢者の身体の上下動を補助して安定した姿勢を保つことのできる手摺りを提供することを目的の１つとし、この目的の少なくとも一部を達成するために以下の手段を採った。
本発明は、壁面に取り付けられた一端側を支点として他端側が上下方向に回動し得るアームを介し、壁面側の位置から該壁面から離れた位置に亘り移動可能な略鉛直方向に延びる手摺りにおいて、前記アームが、上方へ向かって湾曲した第１湾曲部と、該第１湾曲部から連続して下方へ向かって湾曲した第２湾曲部を有するＳ字形状に形成されていることを要旨とする。
【発明の効果】
【０００５】
使用しない時には手摺りを壁面側に寄せておくと、邪魔になることがなく、トイレ内に広いスペースを確保することができ、また、使用する際には、アームを介して壁面から離れた位置に移動させて、手摺りで身体の上下動を良好に補助することができ、腕力がなく足腰が弱い高齢者が手摺りに寄りかかりながら身体を安定させることができる。
また、アームはＳ字状に形成されているため、手摺りを壁面側に寄せた時に、壁面と手摺り間に隙間ができるため、手摺りを握ったまま壁面側に動かしても手が壁面に当たることがなく、安全に手摺りを壁面側に寄せることができる。
【０００６】
また、本発明の手摺りは、前記壁面から離れた位置が、便器の正面前方になるように構成することもできる。
こうすれば、壁面から離れた位置へ手摺りを配置させた状態では、腕力がなく足腰が弱い高齢者が手摺りに寄りかかりながら、回り込むようにして確実に便器に辿り着いて着座することができ、介助に頼らずに一人で便器を使用することができるものとなる。
【発明を実施するための最良の形態】
【０００７】
次に、本発明を実施するための最良の形態を実施例を用いて説明する。
図１は、トイレ内に設置された便器と手摺りの斜視構成図である。
トイレ内には便器２が設置されており、この便器２の右側方の壁面４側を支点として他端側が上下方向に回動し得る上下２本のアーム６，６を介して手摺り１０が配置されている。この図１は、手摺り１０の使用状態を示しており、この手摺り１０の使用位置では、手摺り１０が便器２の正面前方に立設されるように設定されている。この手摺り１０は棒状で、例えばその高さが１８００ｍｍ程度に設定されている。
【０００８】
この手摺り１０は、２本のアーム６，６を介して壁面４側へ回動させて、壁面４側に収納することができ、図２の説明図で示すように、２本のアーム６は、それぞれＳ字状に形成されたものである。
壁面４に水平に設けられているレール５に沿ってアーム６，６は横方向に移動できるように構成されており、壁面４側のレール５内に金具７の係合部７ｂが横方向へスライド移動可能に係合され、この金具７に軸７ａを介してアーム６が取り付けられ、アーム６は壁面４側を支点として上下方向に回動できるように構成されている。また、アーム６と手摺り１０を繋ぐ金具８にも、軸８ａが設けられている。
【０００９】
このアーム６は、手摺り１０側に、上方へ向かって湾曲した第１湾曲部６ａが形成され、この第１湾曲部６ａから連続して、壁面４側に、下方へ向かって湾曲する第２湾曲部６ｂが形成され、全体として横から見てＳ字形状に形成されている。
このＳ字形状のアーム６が上下に２本用いられて手摺り１０が支持されているため、アーム６，６を回動させて手摺り１０を壁面４側の収納位置から便器２の正面前方の使用位置に亘りスムーズに移動させることができ、使用しない時には壁面４側へ収納させて、トイレ１内を広く利用することができる。
【００１０】
使用状態では、便器２の正面前方の床面３上に手摺り１０が立設状態となるため、便器２を使用する際に、腕力がなく足腰が弱い高齢者においても、この手摺り１０にもたれかかりながら、手摺り１０にしがみついた姿勢を取ることができ、前方側からしがみついた姿勢で便器２側へ回り込むようにして、良好に便器２に辿り着き、良好に着座することができるものであり、介助に頼らずに便器２を高齢者が使用できるものとなる。
また、立ち上がる際にも、手摺り１０に身体をもたれかけて、しがみつきながら身体を安定させて立ち上がることができ、便器２への立ち座りが手摺り１０を用いることで良好に行えるものとなる。
【００１１】
なお、手摺り１０は、１８００ｍｍ程度の上下寸法に設定されているため、背の高い高齢者であっても、また背の低い高齢者であっても、腰が曲がった高齢者であっても、良好に使用することができて、方向転換動作や便器２への立ち座り動作を一人で安定してできるものとなる。
【００１２】
なお、この手摺り１０を壁面４側に収納させる際には、図２に示すように、アーム６を上方側へ回動させてゆくが、この時に、手摺り１０を握ったままで収納位置へ手摺り１０を移動させても、手のコブシが壁面４に当たらずに安全に操作できるように構成されている。
即ち、アーム６はＳ字状に形成されているため、収納位置では第１湾曲部６ａが壁面４に当接状態となり、収納位置では壁面４と手摺り１０間に、例えば９３ｍｍ程度の隙間Ｓが形成されるため、この隙間により、指や手を挟み込むことがないように構成されている。
なお、収納位置においても手摺り１０は有効に使用することができ、手摺り１０で身体を安定させて壁面４に沿って移動することができるものである。
【００１３】
なお、本例では、アーム６は上下に２本使用されており、スムーズな手摺り１０の移動が確保されているが、アーム６，６はＳ字状であるため、多少、上下のアーム６，６が平行状態に施工されていなくても見栄えが良好なものとなる。即ち、真っ直ぐなアームを２本用いた場合には、２本の上下のアームが平行になっていないと見栄えが悪いが、本例のようにＳ字状のアーム６，６の場合は、平行になっていない場合でも見た目には平行に見えて、見栄えが良好になるのである。
【００１４】
なお、この手摺り１０は、通常は便器２の前方側に配置できるように設けられているが、必要に応じ、レール５に沿って係合部７ｂを横方向へ移動させて、手摺り１０の位置を横方向にも移動させて適宜トイレ１内で使用することができるものである。
なお、図中９は、便器２の側方の壁面４に設けられたペーパーホルダーである。
【図面の簡単な説明】
【００１５】
【図１】トイレ内に設置された便器と手摺りの使用位置における斜視構成図である。
【図２】手摺りをアームを介して収納位置から使用位置に回動させる説明図である。
【符号の説明】
【００１６】
１  トイレ
２  便器
３  床面
４  壁面
５  レール
６  アーム
６ａ  第１湾曲部
６ｂ  第２湾曲部
７，８  金具
７ａ，８ａ  軸
７ｂ  係合部
１０  手摺り
【図１】
2009118974.tif 000003
【図２】
2009118974.tif 000004